(57)【特許請求の範囲】
【請求項１】
バッテリセルのアノード端子であって、プレート形状の導電性部材から成り、保護回路モジュール（ＰＣＭ）に安全要素を介して電気的に接続されているアノード端子と、
バッテリセルのカソード端子であって、プレート形状の導電性部材から成り、前記ＰＣＭに直接電気的に接続されているカソード端子と、
前記アノード端子及び前記カソード端子を有するバッテリセルであって、前記アノード端子及び前記カソード端子は前記バッテリセルの一方の端部に形成されており、前記バッテリセルの前記端部には、熱溶着された余剰部が設けられているバッテリセルと、
プリント回路基板（ＰＣＢ）を有するＰＣＭであって、前記プリント回路基板（ＰＣＢ）上には保護回路が形成されており、前記プリント回路基板（ＰＣＢ）の一方の面には前記プリント回路基板（ＰＣＢ）の長手方向に沿ってカソード端子接続部及び安全要素接続部が設けられており、他方の面には外部入出力端子接続部が設けられ、外部入出力端子が、前記ＰＣＢの前記外部入出力端子接続部を介して前記ＰＣＢの前記保護回路に電気的に接続されており、第一のケース及び第二のケースが組立タイプの締結構造によって互いに連結されて、前記ＰＣＢ及び安全要素を覆い、前記ＰＣＭが、前記安全要素及び前記バッテリセルに電気的に接続された状態で、前記バッテリセルの熱溶着された余剰部に搭載されている、ＰＣＭと、
を備え、
前記第一のケース又は前記第二のケースには開口が設けられ、前記開口を通じて、前記ＰＣＭに配置された前記安全要素が外部に露出し、それによって前記安全要素は前記バッテリセルの温度変化に敏感に反応することができ、
前記安全要素は、正温度係数（ＰＴＣ）要素又はヒューズを備えることを特徴とする二次バッテリパック。
【請求項２】
前記第一のケースには、少なくとも１つの締結孔及び締結突起のうちの一方が設けられ、前記第二のケースには、前記第一のケースの前記締結孔及び締結突起のうちの一方に対応する少なくとも１つの締結孔及び締結突起のうちの他方が設けられ、前記締結孔及び前記締結突起を係合させることによって前記第一のケースは前記第二のケースに連結されることを特徴とする請求項１に記載の二次バッテリパック。
【請求項３】
前記少なくとも１つの締結孔と、前記少なくとも１つの締結孔に対応する前記少なくとも１つの締結突起とは、互いに向かい合う前記第一のケース及び前記第二のケースの端面に形成されることを特徴とする請求項２に記載の二次バッテリパック。
【請求項４】
前記バッテリセルは、金属層及び樹脂層を備えるラミネートシートから成るバッテリケース内にシールされた状態で取り付けられたカソード／セパレータ／アノード構造の電極組立体を有する二次バッテリであることを特徴とする請求項１に記載の二次バッテリパック。
【請求項５】
前記カソード端子接続部及び前記安全要素接続部はニッケルから成るプレート形状であることを特徴とする請求項１に記載の二次バッテリパック。
【請求項６】
前記外部入出力端子は、一端に取り付けられたコネクタを有するワイヤの形状に構成されていることを特徴とする請求項１に記載の二次バッテリパック。
【請求項７】
ニッケルプレートが、カソード端子の一方の側に超音波溶着によってさらに取り付けられ、前記ニッケルプレートは前記カソード端子接続部に連結されていることを特徴とする請求項１に記載の二次バッテリパック。
【請求項８】
前記第一のケース及び／又は前記第二のケースが、孔であって、これら孔を通じて前記バッテリセルの前記カソード端子および前記アノード端子がそれぞれ挿入される孔と、孔であって、前記孔を通じて前記外部入出力端子が外部に延出する孔と、を備えていることを特徴とする請求項１に記載の二次バッテリパック。
【請求項９】
前記外部入出力端子を除いた前記ＰＣＭ並びに前記バッテリセルの外面に貼り付けられ、これにより前記ＰＣＭ並びに前記バッテリセルの外面を部分的に覆うラベルをさらに備える請求項１に記載の二次バッテリパック。
【請求項１０】
前記ラベルは、前記バッテリセルの１つの主要な面を覆うための第一の貼付面と、前記バッテリセルの対向する側面を覆うための、前記第一の貼付面から延在する第二の貼付面及び第三の貼付面と、前記ＰＣＭを覆うための、前記第一の貼付面から延在する第四の貼付面と、を備えるシート構造を有するように構成されていることを特徴とする請求項９に記載の二次バッテリパック。
【請求項１１】
バッテリセルの上端に形成されたプレート形状の導電性部材からなるカソード端子およびアノード端子を有するプレート形状の前記バッテリセルの頂部に取り付けられる保護回路モジュール（ＰＣＭ）であって、前記ＰＣＭは、
プリント回路基板（ＰＣＢ）であって、前記ＰＣＢは、前記ＰＣＢ上に形成された保護回路を有し、前記ＰＣＢの一方の面には前記プリント回路基板（ＰＣＢ）の長手方向に沿ってカソード端子接続部及び安全要素接続部が設けられ、且つ前記ＰＣＢの他方の面には外部入出力端子接続部が設けられた、前記ＰＣＢと、
前記ＰＣＢの前記保護回路に前記ＰＣＢの前記外部入出力端子接続部を介して電気的に接続されている外部入出力端子と、
組立タイプの締結構造によって互いに連結されて前記ＰＣＢと前記安全要素接続部に取り付けられた安全要素とを全体的に覆う第一のケース及び第二のケースと、
を備え、
前記安全要素は、前記安全要素の一端が前記安全要素接続部に接続され、前記安全要素の他端が前記バッテリセルのアノード端子に連結されるように構成されており、
前記第一のケース又は前記第二のケースには開口が設けられ、前記開口を通じて、前記ＰＣＭに配置された前記安全要素が外部に露出し、
前記ＰＣＭは、前記バッテリセルの頂部に位置する熱溶着された余剰部に搭載されていることを特徴とする保護回路モジュール。
【請求項１２】
前記第一のケース及び／又は前記第二のケースは、孔であって、前記孔を通じて前記バッテリセルの前記カソード端子および前記アノード端子が挿入される孔と、孔であって、前記孔を通じて前記外部入出力端子が外部に延出する孔と、を備えることを特徴とする請求項１１に記載の保護回路モジュール。
【請求項１３】
前記第一のケースには、少なくとも１つの締結孔及び締結突起のうちの一方が設けられ、前記第二のケースには、前記第一のケースの前記締結孔及び締結突起のうちの一方に対応する少なくとも１つの締結孔及び締結突起のうちの他方が設けられ、前記締結孔及び前記締結突起を係合させることによって前記第一のケースは前記第二のケースに連結されることを特徴とする請求項１１に記載の保護回路モジュール。
【請求項１４】
前記少なくとも１つの締結孔と、前記少なくとも１つの締結孔に対応する前記少なくとも１つの締結突起とは、互いに向かい合う前記第一のケース及び前記第二のケースの端面に形成されることを特徴とする請求項１３に記載の保護回路モジュール。
【請求項１５】
請求項１〜１０のいずれか一項に記載の二次バッテリパックを製造する方法であって、（ａ）ワイヤタイプの外部入出力端子を、プリント回路基板（ＰＣＢ）の一方の面に形成された外部入出力端子接続部に接続するステップと、
（ｂ）ニッケルプレートを、バッテリセルのカソード端子の一方の面に、超音波溶着によって接続するステップと、
（ｃ）安全要素の一端を、前記安全要素の他端が前記バッテリセルのアノード端子の一方の面に接続された状態で、前記ＰＣＢの他方の面に形成された安全要素接続部に接続するとともに、カソード端子接続部を、前記ニッケルプレートを介して前記カソード端子に接続するステップと、
（ｄ）前記ＰＣＢを、前記バッテリセルの端縁に対向する前記ＰＣＢの端縁において、前記ＰＣＢの前記一方の面が前記バッテリセルの前記アノード端子の他方の面及び前記カソード端子接続部に対面するように折り畳むステップと、
（ｅ）第一のケースと第二のケースとを連結してＰＣＭを形成するステップであって、
前記外部入出力端子が連結された第一のケースと第二のケースとから外部に延出し、前記ＰＣＢの全体が前記連結された第一のケースと第二のケースとによって覆われ、前記ＰＣＭが、前記ＰＣＢの長手方向が前記バッテリセルの、前記アノード端子及び前記カソード端子が設けられた端部に平行になるように配置される、ＰＣＭを形成するステップと、
（ｆ）前記ＰＣＭを、前記ＰＣＭの長手軸の回りに前記バッテリセルに向かって１８０度、回転させて、前記ＰＣＭを前記バッテリセルの端部に接触させ、それによって前記ＰＣＭを前記バッテリセルの熱溶着された余剰部に取り付けるステップと、
を備える方法。
【発明の詳細な説明】
【技術分野】
【０００１】
本発明は、改善された安全性を有する二次バッテリパックに関し、より具体的には、バッテリセルのアノード端子であって、プレート形状の導電性部材から成り、保護回路モジュール（ＰＣＭ）に安全要素を介して電気的に接続されているアノード端子と、バッテリセルのカソード端子であって、プレート形状の導電性部材から成り、ＰＣＭに直接電気的に接続されているカソード端子と、バッテリセルであって、このバッテリセルの一端に形成されたアノード端子及びカソード端子を有し、このバッテリセルの端部において、熱溶着された余剰部が設けられているバッテリセルと、ＰＣＭであって、上に形成された保護回路を有し、一方の側にカソード端子接続部及び安全要素接続部が設けられ、且つ他方の側に外部入出力端子接続部が設けられるプリント回路基板（ＰＣＢ）、このＰＣＢの保護回路に、このＰＣＢの外部入出力端子接続部を介して電気的に接続されている外部入出力端子、並びに、組立タイプの締結構造によって互いに連結され、ＰＣＢ及び安全要素を覆う第一のケース及び第二のケース、を含み、バッテリセルの熱溶着された余剰部に、ＰＣＭが安全要素及びバッテリセルに電気的に接続されている状態で搭載されるＰＣＭと、を含む二次バッテリパックに関する。
【背景技術】
【０００２】
モバイル機器が次第に進歩し、このようなモバイル機器に対する要求が増大するにつれて、二次バッテリに対する要求も急速に増加してきた。このような二次バッテリには、高いエネルギー密度及び動作電圧、並びに優秀な保存特性及び耐用年数特性を示すリチウム二次バッテリがあり、このリチウム二次バッテリは、様々な電子製品及びモバイル機器のためのエネルギー源として広く用いられてきた。
【０００３】
しかしながら、様々な種類の可燃性材料がリチウム二次バッテリ内に包含されている。結果として、リチウム二次バッテリは、バッテリの過充電、バッテリ内の過電流、又は別の物理的な外的衝撃に起因して、加熱又は破裂する場合がある。すなわち、リチウム二次バッテリの安全性は非常に低い。その結果として、正温度係数（ＰＴＣ）要素及び保護回路モジュール（ＰＣＭ）のような安全要素が、リチウム二次バッテリの過充電又はリチウム二次バッテリ内の過電流のようなリチウム二次バッテリの異常状態を効果的に制御するために、リチウム二次バッテリに、この安全要素がバッテリセルに接続された状態で搭載される。
【０００４】
通常、ＰＣＭはバッテリセルに、導電性ニッケルプレートを介して、溶接又ははんだ付けによって接続される。すなわち、ニッケルプレートはＰＣＭの電極タブに溶接又ははんだ付けによって接続され、次いでこのニッケルプレートはバッテリセルの対応する電極端子に溶接又ははんだ付けによって接続される。このようにして、ＰＣＭはバッテリセルに接続され、これによりバッテリパックを製造する。
【０００５】
ＰＣＭを含む安全要素は、バッテリセルの電極端子との電気的な接続を保持され、同時に、バッテリセルの別の部品から電気的に絶縁されることが必要とされる。その結果として、絶縁テープが、電極端子接続領域を除いたＰＣＭに実質的に貼り付けられて、電気的絶縁を保持し、これによって、このような接続を達成する。
【０００６】
しかしながらこの場合、安全要素がバッテリセルの温度を直接感知することは、絶縁テープが原因で難しく、加えて、外的衝撃に対する安全要素の機械的強度は低い。
【０００７】
また、複数の絶縁性の取り付け部材又は複数の部品が上述の問題を解決するために用いられる場合、バッテリパック組立プロセスは複雑化される。多くの回数の溶接プロセス又ははんだ付けプロセスがバッテリパックを構成するために実行される場合、溶接又ははんだ付けプロセスは、二次バッテリの小型構造が理由で、高精度で実行されなければならない。結果として、不良の可能性が大きい。
【０００８】
従って、バッテリセルの上端に取り付けられる部材を安定的に連結し、同時に、組立プロセスを単純化するとともにバッテリセルの安全性を改善することができる技術に対する高い必要性がある。
【発明の概要】
【発明が解決しようとする課題】
【０００９】
従って、本発明は、上述の問題、及び依然として解消されていない別の技術的問題を解決するために行われた。
【００１０】
特に、機械的強度と電気的絶縁とを保持しつつ、単純化された組立プロセスを用いて得られる安定した組立構造を有する二次バッテリパックを提供することが本発明の目的である。
【課題を解決するための手段】
【００１１】
本発明の一態様によると、上述の目的及び別の目的は、二次バッテリパックの提供によって達成することができ、この二次バッテリパックは、バッテリセルのアノード端子であって、プレート形状の導電性部材から成り、保護回路モジュール（ＰＣＭ）に安全要素を介して電気的に接続されるアノード端子と、バッテリセルのカソード端子であって、プレート形状の導電性部材から成り、ＰＣＭに直接電気的に接続されるカソード端子と、前記アノード端子及び前記カソード端子を有するバッテリセルであって、アノード端子及びカソード端子はこのバッテリセルの一方の端部に形成されており、このバッテリセルの端部に、熱溶着された余剰部が設けられているバッテリセルと、ＰＣＭであって、上に形成された保護回路を有し、一方の面にプリント回路基板（ＰＣＢ）の長手方向に沿ってカソード端子接続部及び安全要素接続部が設けられ、且つ他方の面に外部入出力端子接続部が設けられたプリント回路基板（ＰＣＢ）、このＰＣＢの保護回路に、このＰＣＢの外部入出力端子接続部を介して電気的に接続される外部入出力端子、並びに、組立タイプの締結構造によって互いに連結され、これによりＰＣＢ及び安全要素を覆う第一のケース及び第二のケース、を含み、バッテリセルの熱溶着された余剰部に、ＰＣＭが安全要素及びバッテリセルに電気的に接続された状態で搭載されるＰＣＭと、を含む。第一のケース又は第二のケースには開口が設けられ、これら開口を通じて、ＰＣＭに配置された安全要素が外部に露出し、それによって安全要素はバッテリセルの温度変化に敏感に反応することができる。安全要素は、正温度係数（ＰＴＣ）要素又はヒューズを備える。
【００１２】
その結果として、本発明による二次バッテリパックにおいては、ＰＣＭ及び安全要素は、バッテリセルの熱溶着された余剰部に、ＰＣＭ及び安全要素が第一のケースと第二のケースとの間に取り付けられた状態で搭載される。従って、絶縁テープを用いる従来の二次バッテリパックと比較して、ＰＣＭを効果的に保護すること、及びパーツの数を大幅に削減することが可能となり、これによって、製造プロセス能力が大幅に改善する。
【００１３】
また、第一のケース及び第二のケースは、組立タイプの締結構造によって互いに連結され、従って、プロセスの効率を、付加的な粘着テープを用いるケースと比較して大幅に改善することができる。
【００１４】
上述された通り、本発明による第一のケース及び第二のケースは分離した部材であり、これら分離した部材は組立タイプの締結構造によって互いに連結される。
【００１５】
この場合に関連して、第一のケース及び第二のケースはヒンジ構造を介して互いに連結することができると考えられ、これにより、第一のケース及び第二のケースは単一ユニットの部材を構成することができる。しかし、この構成にはいくつかの問題がある。すなわちこの場合においては、第一のケース及び第二のケースを射出成型によって形成することが、これらケースの小さなサイズが原因で、難しい場合がある。また、ヒンジ領域の強度が比較的低く、その結果、第一のケース及び第二のケースは、本発明が実際の製品に適用された場合に容易に損傷し得る。さらに、シール能力、ひいては耐湿性が、ヒンジ領域における低い締結力が原因で下がる場合がある。加えて、ヒンジ領域は外側に突出し、その結果、バッテリセルはこのバッテリセルの据え付けの間に損傷する場合があり、且つバッテリパックの容量は、ヒンジ領域が突出できるように余剰のスペースが必要とされるので、同じ規格を有するバッテリパックと比較して減少する。
【００１６】
上述の問題を解決するための本発明によるケースの、組立タイプの締結構造は、第一のケースには、少なくとも１つの締結孔及び締結突起のうちの一方が設けられ、第二のケースには、第一のケースの締結孔及び締結突起のうちの一方に対応する少なくとも１つの締結孔及び締結突起のうちの他方が設けられ、締結孔及び締結突起を係合させることによって第一のケースは第二のケースに連結されるように構成することができる。
【００１７】
このような連結方式では、第一のケースと第二のケースとは容易に組み立てることができ、第一のケースと第二のケースとの間の連結状態は、さらに安定して確保することができる。締結構造は、例えばフックによって構成することができる。
【００１８】
また、少なくとも１つの締結孔と、この少なくとも１つの締結孔に対応する少なくとも１つの締結突起とは、互いに向かい合う第一のケース及び第二のケースの端面に好ましくは形成され、これにより均一な連結力を獲得し、ひいてはシール力を増大させる。例えば、第一のケース及び第二のケースの互いに向かい合う側部が長方形状の形状を形成している場合、少なくとも１つの締結孔と、この少なくとも１つの締結孔に対応する少なくとも１つの締結突起とは、第一のケース及び第二のケースの４つの側部に形成することができる。この構造においては、絶縁性の取り付け部材のシール力を向上させ、これにより絶縁及び安全性を改善することができる。
【００１９】
様々な種類のバッテリセルを、本発明による二次バッテリパック内において用いることができる。本発明による二次バッテリパック内において用いられるバッテリセルは、金属層及び樹脂層を含むラミネートシートから成るバッテリケース内にシールされた状態で取り付けられたカソード／セパレータ／アノード構造の電極組立体を有する、ポーチ形状の二次バッテリとすることができ、このポーチ形状の二次バッテリの厚さ及び重さは小さい。
【００２０】
上述されたように、バッテリの過充電、過放電、過電流等を制御するための保護回路を有するＰＣＢは、このＰＣＢの一方の側においてカソード端子接続部及び安全要素接続部が設けられ、且つこのＰＣＢの他方の側において外部入出力端子接続部が設けられる。
【００２１】
その結果として、バッテリセルのカソード端子をＰＣＢのカソード端子接続部に、変形させることなく、又は追加の部材を用いることなく接続すること、及び、安全要素の一方の側を、ＰＣＭの同じ側に配置されている、ＰＣＢの安全要素接続部に、バッテリセルのアノード端子が安全要素の他方の側に接続されている状態で接続することが可能となる。結果として、構造強度が低い安全要素は、ＰＣＢに安定的に取り付けられ、これによって、製造プロセスにおける欠陥率を削減し、ひいては製造プロセスの効率を改善する。
【００２２】
カソード端子接続部及び安全要素接続部のための材料は、カソード端子接続部及び安全要素接続部が導電性材料から成る限りは、特に限定されることはない。好ましくは、カソード端子接続部及び安全要素接続部はニッケルプレートから成る。
【００２３】
また、ニッケルプレートのそれぞれは、ニッケルプレートのそれぞれの一端が垂直に曲げられ、さらにニッケルプレートのそれぞれの他端がＰＣＢの後面に連結される構造を有するように構成することができ、これにより、ニッケルプレートはカソード端子及び安全要素に容易に溶接することができる。
【００２４】
その一方で、安全要素は任意の要素であり、この要素の抵抗は、温度の増加によって増加する。好ましくは、安全要素は正温度係数（ＰＴＣ）要素である。ＰＴＣ要素に連結された接続部材は、バッテリパックの上端における電流を、バッテリパックの温度が内部短絡又は同様の事柄が原因で急に上昇した場合に遮断する役割を果たす。しかしながら、安全要素がＰＴＣ要素に限定されることはない。例えば、バイメタル又はヒューズを安全要素として用いることができる。
【００２５】
好ましい実施形態においては、第一のケース又は第二のケースに開口を設けることができ、この開口を通じて、ＰＣＭに配置された安全要素を外側に露出させることができる。
【００２６】
第一のケース及び第二のケースは、電気絶縁性、製造の容易性、及び製造のコストを考慮して、好ましくはプラスチック材料から成る。しかしながら、安全要素がこのようなプラスチック材料によってシールされている場合は、安全要素がバッテリセルの温度の変化に敏感に反応することが難しい場合がある。他方で、安全要素は、上述されたような開口構造を通じて、より敏感にバッテリセルの温度変化に反応することができる。結果的に、バッテリパックの安全性をさらに改善することができる。加えて、安全要素の取り付けに起因して、ＰＣＭの取り付け高さを最小化することができ、これによって、バッテリの容量の増加に寄与する。
【００２７】
外部入出力端子の形状は、外部入出力端子がＰＣＢに電気的に接続されて、充電器のような外部機器からの電流をバッテリセルに供給するか又はバッテリセルからの電流を携帯電話、ｍｐ３プレイヤー等に供給することができる限り、特に限定されることはない。好ましくは、外部入出力端子は、一端に取り付けられているコネクタを有するワイヤの形状に構成されている。
【００２８】
別の好ましい例においては、ニッケルプレートをカソード端子の一方の側に超音波溶着によってさらに取り付けることができ、このニッケルプレートは、カソード端子接続部に接合される。その結果として、アルミニウムからなるカソード端子とニッケルとの間の特性における相違に起因する、低質な溶接を防ぐことができる。
【００２９】
その一方で、第一のケース及び／又は第二のケースは、孔であって、これら孔を通じてバッテリセルの電極端子が挿入される孔と、孔であって、この孔を通じて外部入出力端子が外部に延在する孔とを含むことができる。この構造において、絶縁性の取り付け部材内での電気的な接続を達成し、さらに外側からの絶縁を確保することができる。
【００３０】
その結果として、ＰＣＢと安全要素とは、第一のケース及び第二のケースを用いた組立タイプの方式で、孔を通じて延在するバッテリセルの電極端子と外部入出力端子とを除いて、互いに容易に連結することができる。
【００３１】
その一方で、ラベルが、外部入出力端子を除くＰＣＭと、バッテリセルの横側及び外側とに貼り付けられてもよく、これによりＰＣＭとバッテリセルの横側及び外側とを覆うことができる。その結果として、バッテリセルの電極端子とＰＣＢとの間の電気的な接続をより安定的に確保し、さらに、絶縁状態を追加の絶縁テープを用いることなく保持することができる。
【００３２】
好ましい実施形態においては、ラベルは、バッテリセルの１つの主要な面を覆うための第一の貼付面と、バッテリセルの対向する側面を覆うための、第一の貼付面から延在する第二の貼付面及び第三の貼付面と、ＰＣＭを覆うための、第一の貼付面から延在する第四の貼付面とを備えるシート構造を有するように構成することができる。
【００３３】
このような特有のシート構造を有するラベルは、バッテリセルの必要な部分のみを効果的に覆い、製造プロセスの効率を大きく改善することができる。
【００３４】
本発明の別の態様によると、特定の構造の保護回路モジュールが提供され、この特定の構造は、上に規定された構成を有する二次バッテリパックを構成するために用いられる。
【００３５】
特に、保護回路モジュール（ＰＣＭ）が提供されて、バッテリセルの上端に形成されたプレート形状の導電性部材から成る電極端子を有するプレート形状のバッテリセルの頂部に取り付けられ、このＰＣＭは、プリント回路基板（ＰＣＢ）であって、その上に形成された保護回路を有するＰＣＢと、このＰＣＢの保護回路に電気的に接続された外部入出力端子であって、このＰＣＢは、その一方の側においてカソード端子接続部及び安全要素接続部が設けられるとともに、その他方の側において外部入出力端子接続部が設けられている外部入出力端子と、組立タイプの締結構造によって互いに連結され、ＰＣＢ及び安全要素を覆う第一のケース及び第二のケースと、を含む。
【００３６】
バッテリパックを組み立てる通常のプロセスにおいては、接続部材とＦ−ＰＣＭとが連結され、絶縁テープがステップそれぞれにおいて貼り付けられ、これによりＰＣＭ組立体がバッテリセルに取り付けられる。すなわち、ＰＣＭ組立体は、多数の部品を用いてバッテリセルに取り付けられる。その結果として、多数のプロセスが必要とされる。また、バッテリパックの機械的強度及び構造安定性は低い。
【００３７】
他方で、本発明による保護回路モジュールは、安全要素が、ＰＣＭに接続されるとともに、第一のケース及び第二のケースに、安全要素がアノード端子に溶接された状態で連結される構造を有するように構成される。その結果として、バッテリパックの機械的強度は非常に高く、バッテリパックを製造するプロセスは大幅に単純化される。
【００３８】
好ましい例においては、安全要素は、この安全要素の一端が安全要素接続部に、安全要素の他端がバッテリセルのアノード端子に接続された状態で接続される構造を有するように構成することができる。
【００３９】
また、カソード端子接続部及び安全要素接続部は、カソード端子接続部の一端及び安全要素接続部の一端が垂直に曲げられ、さらにカソード端子接続部の他端及び安全要素接続部の他端がＰＣＢの後面に連結されるように構成することができる。
【００４０】
第一のケース及び／又は第二のケースは、孔であって、これら孔を通じてバッテリセルの電極端子が挿入される孔と、孔であって、この孔を通じて外部入出力端子が外部に延在する孔とを含む構造を有するように構成することができる。
【００４１】
第一のケースには、少なくとも１つの締結孔及び締結突起のうちの一方を設けることができ、第二のケースには、第一のケースの締結孔及び締結突起のうちの一方に対応する少なくとも１つの締結孔及び締結突起のうちの他方を設けることができ、締結孔及び締結突起を係合させることによって第一のケースは第二のケースに連結される。また、少なくとも１つの締結孔と、この少なくとも１つの締結孔に対応する少なくとも１つの締結突起とは、互いに向かい合う第一のケース及び第二のケースの端面において好ましくは形成され、締結力及びシール力を改善する。
【００４２】
好ましくは、第一のケース又は第二のケースには開口を設け、この開口を通じて、ＰＣＭに配置された安全要素を外部に露出させることができる。
【００４３】
本発明のさらなる態様によると、上述された構造を有する二次バッテリパックを製造する方法が提供される。
【００４４】
特に、本発明による二次バッテリパックは、二次バッテリパックを製造する方法であって、（ａ）ワイヤタイプの外部入出力端子を、ＰＣＢの一方の面に形成された外部入出力端子接続部に接続するステップと、（ｂ）ニッケルプレートを、バッテリセルのカソード端子の一方の面に、超音波溶着によって接続するステップと、（ｃ）安全要素の一端を、安全要素の他端がバッテリセルのアノード端子の一方の面に接続された状態で、ＰＣＢの他方の面に形成された安全要素接続部に接続するとともに、カソード端子をカソード端子接続部に接続するステップと、（ｄ）前記ＰＣＢを、前記バッテリセルの端縁に対向する前記ＰＣＢの端縁において、前記ＰＣＢの前記一方の面が前記バッテリセルの前記アノード端子の他方の面及び前記カソード端子接続部に対面するように折り畳むステップと、（ｅ）第一のケースと第二のケースとを連結してＰＣＭを形成するステップであって、外部入出力端子が連結された第一のケースと第二のケースとから外部に延出し、ＰＣＢの全体が連結された第一のケースと第二のケースとによって覆われ、ＰＣＭが、ＰＣＢの長手方向がバッテリセルのアノード端子及び前記カソード端子が設けられた端部に平行になるように配置される、ＰＣＭを形成するステップと、（ｆ）ＰＣＭを、ＰＣＭの長手軸の回りにバッテリセルに向かって１８０度、回転させて、ＰＣＭをバッテリセルの端部に接触させ、ＰＣＭを前記バッテリセルの熱溶着された余剰部に取り付けるステップと、を含む方法を用いて製造することができる。
【００４５】
従来の埋め込みタイプの二次バッテリパックを製造する方法と比較して、本発明による、二次バッテリパックを製造する方法は、製造プロセス数を削減し、且つ高い機械的強度と改善された構造安定性とを示す二次バッテリパックを提供することができる。
【００４６】
また、本発明による、二次バッテリパックを製造する方法は、ラベルをＰＣＭとバッテリセルの横側及び外側とに貼り付けて、これにより、ラベルが外部入出力端子を除くＰＣＭとバッテリセルの横側及び外側とを覆うステップを、必要に応じてさらに含むこともできる。
【発明の効果】
【００４７】
上述の記載から明らかなように、本発明による二次バッテリパックは新しい構造を有するように構成され、この構造において、第一のケース及び第二のケースを含むＰＣＭが、バッテリセルの熱溶着された余剰部に搭載される。その結果として、二次バッテリパックを製造するプロセスは単純化され、二次バッテリパックの構造安定性が改善される。
【００４８】
上述の、及びその他の本発明の目的、特性、及び別の利点は、添付の図面と組み合わせて解釈される、以下の詳細な記載からより明確に理解される。
【図面の簡単な説明】
【００４９】
【図１】バッテリセルの部分斜視図である。
【図２】バッテリセルに連結された安全要素を示す部分斜視図である。
【図３】プリント回路基板（ＰＣＢ）に連結された外部入出力端子を示す部分斜視図である。
【図４】バッテリセルの上端に連結されたＰＣＢ及び安全要素を示す部分斜視図である。
【図５】第二のケースに取り付けられた図４のＰＣＢ及び安全要素を示す部分斜視図である。
【図６】第一のケース及び第二のケースに取り付けられた図４のＰＣＢ及び安全要素を示す部分斜視図である。
【図７】図６の保護回路モジュール（ＰＣＭ）をバッテリセルの熱溶着された余剰部に搭載するプロセスを示す典型的な図である。
【図８】ラベルを貼り付けるプロセスを示す典型的な図である。
【図９】ラベルを貼り付けるプロセスを示す典型的な図である。
【図１０】ラベルを貼り付けるプロセスを示す典型的な図である。
【発明を実施するための形態】
【００５０】
ここで、本発明の例示的な複数の実施形態が、添付の図面を参照して詳細に記載される。しかしながら、本発明の技術的範囲が、説明された実施形態によっては限定されないことが理解されるべきである。
【００５１】
図１はバッテリセルの部分斜視図であり、図２はバッテリセルに連結された安全要素を示す部分斜視図であり、図３はプリント回路基板（ＰＣＢ）に連結された外部入出力端子を示す部分斜視図であり、及び図４はバッテリセルの上端に連結されたＰＣＢと安全要素とを典型的に示す部分斜視図である。
【００５２】
これら図面を参照すると、バッテリセル１０は、このバッテリセル１０の一端に形成されたアノード端子１２とカソード端子１１とを有するプレート形状のバッテリセルである。カソード／セパレータ／アノード構造の電極組立体は、金属層及び樹脂層を含むラミネートシートから成るバッテリケース１８内に、シールされた状態で取り付けられている。
【００５３】
参照符号１３は熱溶着された余剰部を示し、この熱溶着された余剰部は、バッテリケース１８がシールされた状態で熱溶着された際に形成された、上端のシール部である。
【００５４】
ニッケルプレート１５がバッテリセル１０のカソード端子１１の一方の側に超音波溶着によってさらに取り付けられ、このニッケルプレート１５はカソード端子接続部１０１に連結されている。
【００５５】
他方で、外部入出力端子１１０の一端に取り付けられたコネクタ１１１を有するワイヤタイプの外部入出力端子１１０が、ＰＣＢ１００の一方の側に接続され、ニッケルプレートから成るカソード端子接続部１０１とニッケルプレートから成る安全要素接続部１０２とがＰＣＢ１００の他方の側に形成され、これによってカソード端子接続部１０１及び安全要素接続部１０２がカソード端子１１及び安全要素１２０にそれぞれ対応している。
【００５６】
図４に示されるように、接続部１０１の一端及び接続部１０２の一端は垂直に曲げられ、一方、接続部１０１の他端及び接続部１０２の他端はＰＣＢ１００の後面に連結される。その結果として、接続部１０１及び接続部１０２は、カソード端子１１及び安全要素１２０にそれぞれ容易に溶接することができる。安全要素１２０は、正温度係数（ＰＴＣ）要素とすることができる。
【００５７】
図５は、第二のケースに取り付けられている図４のＰＣＢ及び安全要素を示す部分斜視図であり、図６は、第一のケース及び第二のケースに取り付けられている図４のＰＣＢ及び安全要素を示す部分斜視図であり、図７は、図６のＰＣＭ（保護回路モジュール）を、バッテリセルの熱溶着された余剰部に搭載するプロセスを示す典型的な図である。図５に示されているように、ＰＣＢ１００は、バッテリセル１０の端縁に対向するＰＣＢ１００の端縁において、ＰＣＢ１００の一方の面がバッテリセル１０の、ニッケルプレート１５が接続されたアノード端子１２の面及びカソード端子１１が接続されたカソード端子接続部１０１に対面するように折り畳まれる。
【００５８】
これら図面を参照すると、第一のケース２００及び第二のケース２１０は連結されて、ＰＣＢ１００及び安全要素１２０を覆っている。
【００５９】
第二のケース２１０は、孔２１１及び孔２１２であって、これら孔２１１及び孔２１２を通じてバッテリセルの電極端子１１及び電極端子１２が挿入される孔２１１及び孔２１２と、孔２１３であって、この孔２１３を通じて外部入出力端子１１０が外部に延出する孔２１３とを含む。
【００６０】
また、第一のケース２００には開口２０１が設けられ、この開口２０１を通じて安全要素１２０が外部に露出する。その結果として、第一のケース２００の据え付けは合計高さの増加を引き起こさず、且つ、安全要素１２０は、この安全要素１２０が第一のケース２００及び第二のケース２１０によって覆われているにもかかわらず、バッテリセル１０の温度の変化に敏感に反応することができる。
【００６１】
従って、バッテリセルの電極端子１１及び電極端子１２が、対応する孔２１１及び孔２１２を通じて挿入されている状態で、外部入出力端子１１０は孔２１３を通じて外部に延出し、安全要素１２０は開口２０１を通じて露出し、ＰＣＢ１００及び安全要素１２０は第一のケース２００と第二のケース２１０との間に取り付けられて、ＰＣＭ３００を構成する。
【００６２】
第一のケース２００及び第二のケース２１０は、組立タイプの締結構造を有するように構成され、この締結構造によって第一のケース２００及び第二のケース２１０は互いに連結される。
【００６３】
特に、組立タイプの締結構造は、第二のケース２１０の垂直方向外周面に形成された締結突起２１４、２１５、２１６、２１７及び２１８（幾つかは図示されていない）、並びに第一のケース２００の垂直方向外周面に形成された締結孔２０４、２０５、２０６、２０７及び２０８（幾つかは図示されていない）によって構成され、締結孔２０４、２０５、２０６、２０７及び２０８は締結突起２１４、２１５、２１６、２１７及び２１８（幾つかは図示されていない）に対応する。
【００６４】
従って、ＰＣＢ１００及び安全要素１２０が第二のケース２１０に取り付けられた後に、第一のケース２００及び第二のケース２１０の組立が、締結突起２１４、２１５、２１６、２１７及び２１８（幾つかは図示されていない）と締結孔２０４、２０５、２０６、２０７及び２０８との間の連結によって、追加の部材を用いることなく達成される。
【００６５】
また、ＰＣＢ１００及び安全要素１２０が第一のケース２００と第二のケース２１０との間に取り付けられているＰＣＭ３００は、ＰＣＭ３００の長手軸の回りでバッテリセル１０に向かって１８０度、回転させられて、バッテリセル１０の端部に接触し、次いでバッテリセル１０の熱溶着された余剰部１３に取り付けられることにより、バッテリセル１０に搭載される。従って、従来の二次バッテリパックと比較して、本発明による二次バッテリパックの耐久性及び耐湿性は大幅に改善され、これによって、ＰＣＭを効果的に保護し、部品点数を大幅に削減し、及び製造プロセス能力を大幅に改善する。
【００６６】
図８〜図１０は、ラベル４００を、図７において示されたように製造されたバッテリセルに貼り付けるプロセスを典型的に示す図である。
【００６７】
これら図面を参照すると、ラベル４００は、バッテリセル１０の１つの主要な面を覆うための第一の貼付面４１０と、バッテリセル１０の対向する側面を覆うための、第一の貼付面４１０から延在する第二の貼付面４２０及び第三の貼付面４３０と、ＰＣＭ３００を覆うための、第一の貼付面４１０から延在する第四の貼付面４４０とを含むシート構造を有するように構成されている
【００６８】
その結果として、バッテリセル１０の１つの主要な面は第一の貼付面４１０に配置され、第二の貼付面４２０及び第三の貼付面４３０は曲げられ、かつバッテリセル１０の対向する側面に貼り付けられ、これにより第二の貼付面４２０及び第三の貼付面４３０はバッテリセル１０の対向する側面を覆い、及び第四の貼付面４４０は曲げられ、これにより第四の貼付面４４０はＰＣＭを覆う。このようにして、ラベル４００はバッテリセル１０に取り付けられる。
【００６９】
製品情報を表示するラベル４００は、バッテリセル１０の対向する横側、及び外側において絶縁状態を保持しつつ、より安定的にバッテリセルの電極端子とＰＣＢとの間の電気的な接続を確保する。
【００７０】
本発明の例示的な実施形態が例示を目的として開示されたが、当業者は、様々な変更、追加及び置換が、添付の特許請求の範囲において開示されている本発明の技術的範囲及び精神から逸脱することなく可能であることを理解する。
【符号の説明】
【００７１】
１０  バッテリセル
１１  カソード端子
１２  アノード端子
１３  熱溶着された余剰部
１５  ニッケルプレート
１８  バッテリケース
１００  ＰＣＢ
１０１  カソード端子接続部
１０２  安全要素接続部
１１０  外部入出力端子
１１１  コネクタ
１２０  安全要素
２００  第一のケース
２０１  開口
２０４  締結孔
２１０  第二のケース
２１１、２１３  孔
２１４  締結突起
３００  ＰＣＭ
４００  ラベル
４１０  第一の貼付面
４２０  第二の貼付面
４３０  第三の貼付面
４４０  第四の貼付面
【図１】
0005636389.tif 000002
【図２】
0005636389.tif 000003
【図３】
0005636389.tif 000004
【図４】
0005636389.tif 000005
【図５】
0005636389.tif 000006
【図６】
0005636389.tif 000007
【図７】
0005636389.tif 000008
【図８】
0005636389.tif 000009
【図９】
0005636389.tif 000010
【図１０】
0005636389.tif 000011